(57)【要約】  【課題】低耐圧の液晶ドライバＩＣによる低出力電圧の駆動方法においても、メモリ性液晶パネルにデータ表示を良好に行う。  【解決手段】走査電極には、ゼロと正または負の単一極性で構成される走査側電圧波形ＴＰが印加され、かつ信号電極には、ゼロと走査側電圧波形と同極性の単一極性で構成される信号側電圧波形ＳＧが印加され、リセット期間ＲＳの第１の期間（Ｒ１）では走査電極に第１のリセットパルスが印加され、リセット期間ＲＳの第２の期間（Ｒ２）では信号電極に第２のリセットパルスが印加され、第１のリセットパルスと第２のリセットパルスとは、パルス幅及びパルス電圧値が等しいことを特徴とする。  【選択図】        図１
2006171497.tif 000002
【特許請求の範囲】
【請求項１】
対向面に各々走査電極と信号電極を有する一対の基板間に、少なくとも２つの安定状態を持つメモリ性液晶を挟持し、画素を備えるメモリ性液晶パネルにおいて、
前記走査電極には、ゼロと正または負の単一極性で構成される走査側電圧波形が印加され、かつ前記信号電極には、ゼロと前記走査側電圧波形と同極性の単一極性で構成される信号側電圧波形が印加され、
前記走査側電圧波形と前記信号側電圧波形には、前記画素における前記メモリ性液晶を２つの安定状態のうち、一方の安定状態にするリセット期間と、前記メモリ性液晶を一方の安定状態あるいは他方の安定状態にする選択期間と、前記メモリ性液晶の状態を維持する保持期間を備え、
前記リセット期間は少なくとも２つの期間からなり、前記リセット期間の第１の期間では前記走査電極に第１のリセットパルスが印加され、前記リセット期間の第２の期間では前記信号電極に第２のリセットパルスが印加され、
前記リセット期間における前記第１のリセットパルスと前記第２のリセットパルスとは、パルス幅及びパルス電圧値が等しいことを特徴とするメモリ性液晶パネル。
【請求項２】
前記選択期間は少なくとも２つの期間からなり、前記選択期間の第１の期間では前記走査電極に第１の選択パルスと前記信号電極に前記画素の表示データに応じた第１の信号パルスが印加され、前記選択期間の第２の期間では前記走査電極に第２の選択パルスと前記信号電極に前記画素の表示データに応じた第２の信号パルスが印加され、
前記選択期間における前記第１の選択パルスの電圧はゼロであり、前記第２の選択パルスの電圧は前記第１のリセットパルスあるいは前記第２のリセットパルスと同じ極性で、かつ一方の安定状態または他方の安定状態へ転移する閾値以上であることを特徴とする請求項１記載のメモリ性液晶パネル。
【請求項３】
前記保持期間では、前記走査電極に印加されるパルスが、2値の電圧値をもつ保持パルスを備えていることを特徴とする請求項１に記載のメモリ性液晶パネル。
【請求項４】
前記２値の電圧値とは、前記第２の選択パルスの電圧値をVＳとすると、（２／３）VＳの電圧値と（１／３）VＳの電圧値であることを特徴とする請求項３に記載のメモリ性液晶パネル。
【請求項５】
前記２つの安定状態のうち、一方の安定状態における表示では、前記第２の選択パルスをVＳとすると、前記選択期間における前記第１の信号パルスの電圧値もVＳであり、かつ前記第２の信号パルスの電圧値はゼロであり、
また他方の安定状態では、前記選択期間における前記第１の信号パルスの電圧値は、（１／３）VＳであり、前記第２の信号パルスの電圧値は（２／３）VＳであることを特徴とする請求項２記載のメモリ性液晶パネル。
【発明の詳細な説明】
【技術分野】
【０００１】
本発明は、メモリ性液晶パネルに関するものであり、特に液晶の２つの安定状態によるメモリ性効果を利用することで低電圧動作を可能とし、液晶パネルの消費電力を低減するような液晶パネルに関する。
【背景技術】
【０００２】
最近注目されている電子書籍や電子新聞などにおいて、表示画面を頻繁に切り替えないような携帯情報端末の表示装置として、メモリ性を有する液晶が注目されている。メモリ性を有するということは、すなわち電圧が無印加時においても表示状態を維持することができる。この特徴を用いることで液晶表示装置の消費電力を低減することが可能になる。メモリ性を有する液晶パネルに用いられる液晶材料としては、強誘電性液晶、コレステリック液晶等が知られている。
【０００３】
ここで、従来の液晶パネルを駆動する方法について、メモリ液晶として強誘電性液晶を用いて説明する。図４は、一般的な液晶パネルの構成を示す断面図である。図４に示すように、液晶パネル４０は、約２ｕｍの厚さの液晶層４２を挟持した一対のガラス基板４３ａ、４３ｂと、これら２枚のガラス基板４３ａ、４３ｂを接着するシール剤４７とで構成されている。ガラス基板４３ａ、４３ｂのそれぞれの対向面には、複数の画素をドットマトリクス状に配置するように透明電極（ＩＴＯ）４４ａ、４４ｂが形成されており、その上に配向膜４５ａ、４５ｂが配置され、配向処理が成されている。
【０００４】
さらに、一方のガラス基板（以下、第１のガラス基板とする）４３ａの外側には、第１の偏光板４１ａが設置されている。他方のガラス基板（以下、第２のガラス基板とする）４３ｂの外側には、第１の偏光板４１ａと偏光軸が９０°異なるようにして第２の偏光板４１ｂが設置されている。この第２の偏光板４１ｂの外側には、反射板４６が配置されている。また、第２の偏光板４１ｂと反射板４６の代わりに、偏光機能を備えた反射型偏光板を設置してもより。また、反射板４６を半透過反射板として第２の偏光板４１ｂの内側に配置してもよい。
【０００５】
次に、強誘電性液晶の電気光学効果について説明する。図３は強誘電性液晶の透過率と電圧の特性図である。強誘電性液晶は２つの安定状態を持ち、その２つの安定状態はある閾値を超えた電圧を印加することによって状態が切り替わり、印加電圧の極性によって第１の強誘電状態（ＯＮ状態）あるいは第２の強誘電状態（ＯＦＦ状態）を選択することができる。すなわち初期（電圧無印加）時には、第１あるいは第２の強誘電状態で安定して存在するが、電圧がＶ１を超えてＶ２まで印加されると、第１の強誘電状態になる。その状態から印加電圧を徐々に下げても第１の強誘電状態を維持する。さらに電圧をＶ３からＶ４を超えて印加することで液晶分子は第２の強誘電状態に切り替わる。その状態から印加電圧を徐々に上げても第２の強誘電状態を維持する。この特性図で明らかなように強誘電性液晶を用いた液晶ディスプレイは、電圧が無印加時すなわち消費電力がゼロの時においても、その透過率、つまり表示状態を維持（メモリ性）できる。
【０００６】
図２は強誘電性液晶をマトリクス型の画素（例えば４×４）に形成したときの液晶パネルの平面図である。図２に示すようなマトリクス型の液晶パネルは、通常、時分割駆動方法によって表示を行っている。すなわち、走査電極群ＣＯＭ〜ＣＯＭ４を１ライン毎に例えばＣＯＭ１、ＣＯＭ２、・・・へと、走査電極駆動回路（図示せず）から走査側電圧波形として電圧が順次印加され、それに同期した信号側電圧波形が、同様に信号電極駆動回路（図示せず）から信号電極群ＳＥＧ１〜ＳＥＧ４へと並列に印加される。なお、信号側
電圧は画素に表示される内容に応じた信号波形が出力する。
【０００７】
このとき、ＯＮ状態のときに白表示、ＯＦＦ状態のときに黒表示になるように、液晶パネルの外側に配置した一対の偏光板（図示しない）については、それぞれの吸収軸がクロスニコルになるように配置する。
【０００８】
次に、このような図２に示す強誘電性液晶パネルの１行１列の画素Ｐｉｘ（１，１）を白表示、２行１列の画素Ｐｉｘ（２，１）を黒表示とする駆動方法について図５を用いて説明する。図５は、一般的な強誘電性液晶パネルを駆動するための走査側電圧波形と信号側電圧波形、および画素に印加する合成電圧波形と強誘電性液晶の透過率曲線を示したものである。
【０００９】
リセット期間ＲＳでは、全ての走査電極に走査側電圧波形ＴＰ１、ＴＰ２で示すようなリセット電圧±ＶＲＴの双極性パルスが印加される。同時に、全ての信号電極に信号側電圧波形ＳＧ１で示すような信号電圧±ＶＤの双極性パルスが印加される。走査側電極波形と信号側電極波形との合成電圧波形をＴＳ（１，１）に示すが、合成電圧波形におけるリセット期間ＲＳの後半部では、リセット電圧と信号電圧の差分の電圧−（ＶＲＴ＋ＶＤ）が全ての画素に印加され、全ての画素は、図３の閾値電圧Ｖ４を超え、強誘電性液晶は第２の強誘電状態となり、図５のＴＶ（１，１）に示すような透過率変化を示し、黒表示となる。
【００１０】
選択期間ＳＥ１では、走査電極ＣＯＭ１に、図５のＴＰ１に示すような選択電圧±ＶＳの双極性パルスが印加され、信号電極ＳＥＧ１に、ＳＧ１に示すような信号電圧±ＶＤの双極性パルスが印加される。これにより、ＴＳ（１，１）に示すように、選択期間ＳＥ１の後半部では、選択電圧と信号電圧の差分の電圧＋（ＶＳ＋ＶＤ）が画素Ｐｉｘ（１，１）に印加され、図３の閾値電圧Ｖ２を超え、第１の強誘電状態となり、図５のＴＶ（１，１）に示すような透過率変化を示し、白表示となる。
【００１１】
保持期間ＨＯＬ１では、走査電極ＣＯＭ１に、図５のＴＰ１に示すような電圧ゼロが印加され、信号電極ＳＥＧ１に表示内容に応じた図５のＳＧ１に示すような信号電圧±ＶＤの双極性パルスが印加される。図中四角で示したパルスは、＋ＶＤ、−ＶＤによって構成される任意のパルス列である。例えば、一方の表示内容では、リセット電圧と同様に、＋ＶＤ、−ＶＤの順に印加され、他方の表示内容では、−ＶＤ、＋ＶＤの順に印加される。合成電圧波形ＴＳ（１，１）で示す通り、保持期間ＨＯＬ１では、信号側電圧波形ＳＧ１がそのまま反映され、±ＶＤの電圧がＰｉｘ（１，１）に印加されるが図３の閾値電圧Ｖ３を超えないので、図５のＴＶ（１，１）に示すように選択期間ＳＥ１で決定された透過率を維持し、白表示が持続される。
【００１２】
一方、選択期間ＳＥ２では、走査電極ＣＯＭ２に、図５のＴＰ２に示すような選択電圧±ＶＳの双極性パルスが印加され、信号電極ＳＥＧ１に、図５のＳＧ１に示すような信号電圧±ＶＤの双極性パルスが印加される。これにより、図５のＴＳ（２，１）に示すように選択期間ＳＥ２の後半部では、選択電圧と信号電圧の差分の電圧＋（ＶＳ−ＶＤ）が画素Ｐｉｘ（２，１）に印加されるが、図３の閾値電圧Ｖ１を超えないので、図５のＴＶ（２，１）に示すように、リセット期間ＲＳで決定された透過率を維持し、黒表示が持続される。
【００１３】
保持期間ＨＯＬ２では、走査電極ＣＯＭ２に、図５のＴＰ２に示すような電圧ゼロが印加され、信号電極ＳＥＧ１には、図５のＳＧ１に示すような表示内容に応じた信号電圧±ＶＤの双極性パルスが印加される。合成電圧波形ＴＳ（２，１）で示す通り、保持期間ＨＯＬ２では、信号側電圧波形ＳＥＧ１がそのまま反映され、±ＶＤの電圧がＰｉｘ（２，
１）に印加されるが図３の閾値電圧Ｖ１を超えないので、図５のＴＶ（２，１）に示すようなリセット期間ＲＳで決定された透過率を維持し、黒表示が持続される。
【００１４】
このように従来の駆動方法では、双極性のリセットパルスと双極性の選択パルスと保持パルスからなり、駆動電圧は７レベル値（ゼロ、±ＶＳ、±ＶＤ、±ＶＲＴ）を必要としていた。さらに双極性パルスであるため、ピーク−ピーク値（図５の−ＶＲＴから＋ＶＲＴにあたる）は液晶が反応する電圧の２倍必要であった。
【００１５】
このように従来は、メモリ性液晶を駆動するためには、多値のパルス電圧が必要とされ、走査側電圧波形を出力する走査電極駆動回路（ドライバＩＣ）の負担を軽減するため、走査電極駆動回路（ドライバＩＣ）とは別に、独立した電圧変換手段を備え、液晶へ印加する駆動電圧を変動可能にする方法が提案されている（たとえば、特許文献１参照）。この特許文献１に開示されているメモリ性液晶素子は液晶材料にコレステリック液晶やカイラルネマティック液晶を使用し、縦方向に三層の表示層が重なった構造が採用されている液晶パネルである。
【００１６】
【特許文献１】特開２００１−４２８１２号公報
【発明の開示】
【発明が解決しようとする課題】
【００１７】
メモリ性の動作モードを有する強誘電性液晶を用いて、走査電極と信号電極とを備えたマトリクス型の液晶パネルを作製し、線順次駆動方法によって強誘電性液晶にデータ表示を行う場合、走査側電圧波形には、多値の電圧（理想は５種類の電圧）が必要であり、信号側電圧波形にも、多値の電圧（理想は５種類の電圧）が必要であった。このため、多値の電圧発生手段の回路は、構成の複雑化による部品点数の増加や実装面積の拡大といった問題点が判明した。
【００１８】
さらに、走査側電圧波形の双極性パルスのピーク−ピーク値は液晶が反応する電圧の２倍必要となった。このため、走査側電圧波形を出力するドライバＩＣは高耐圧プロセスで製作する必要があり、チップサイズの大型化による高コストといった問題点も生じた。
【課題を解決するための手段】
【００１９】
上述した課題を解決し目的を達成するために本発明は以下の構成を採用する。対向面に各々走査電極と信号電極を有する一対の基板間に、少なくとも２つの安定状態を持つメモリ性液晶を挟持し、画素を備えるメモリ性液晶パネルにおいて、走査電極には、ゼロと正または負の単一極性で構成される走査側電圧波形が印加され、かつ信号電極には、ゼロと前記走査側電圧波形と同極性の単一極性で構成される信号側電圧波形が印加され、走査側電圧波形と信号側電圧波形には、画素におけるメモリ性液晶を第１の安定状態にするリセット期間と、メモリ性液晶を第１の安定状態あるいは第２の安定状態にする選択期間とメモリ性液晶の状態を維持する保持期間を備え、リセット期間は少なくとも２つの期間からなり、リセット期間の第１の期間では走査電極に第１のリセットパルスが印加され、リセット期間の第２の期間では信号電極に第２のリセットパルスが印加され、リセット期間における第１のリセットパルスと第２のリセットパルスとは、パルス幅及びパルス電圧値が等しいことを特徴とする。
【００２０】
さらに、選択期間は少なくとも２つの期間からなり、選択期間の第１の期間では走査電極に第１の選択パルスと信号電極に前記画素の表示データに応じた第１の信号パルスが印加され、選択期間の第２の期間では走査電極に第２の選択パルスと信号電極に画素の表示データに応じた第２の信号パルスが印加され、選択期間における第１の選択パルスの電圧はゼロであり、第２の選択パルスの電圧は第１のリセットパルスあるいは第２のリセット
パルスと同じ極性で、かつ第１の安定状態または第２の安定状態へ転移する閾値以上であることを特徴とする。
【００２１】
また保持期間では、走査電極に印加されるパルスが、2値の電圧値をもつ保持パルスを備えていることを特徴とする。この２値の電圧値とは、第２の選択パルスの電圧値をVＳとすると、（２／３）VＳの電圧値と（１／３）VＳの電圧値であることを特徴とする。
【００２２】
また２つの安定状態のうち、一方の安定状態における表示では、第２の選択パルスをＶＳとすると、選択期間における第１の信号パルスの電圧値もVＳであり、かつ第２の信号パルスの電圧値はゼロであり、また他方の安定状態では、第２の選択パルスの電圧値をVＳとすると、選択期間における第１の信号パルスの電圧値は、（１／３）VＳであり、第２の信号パルスの電圧値は（２／３）VＳであることを特徴とする。
【発明の効果】
【００２３】
本発明によれば、双極性パルスの出力を不要とし、液晶が反応する程度の電圧値を出力する走査電極側ドライバＩＣと信号電極側ドライバＩＣとを採用することがきるので、ＩＣの耐圧を低く設定でき、小型化、低コストが実現できる。
【００２４】
また、正電圧（あるいは負電圧）出力のみのドライバＩＣとすることで、走査電極側と信号電極側と同一仕様とすることが可能である。さらに、駆動電圧のレベル値を低減し、電源用の昇圧回路を容易に作製できる。なお、両電極の印加電圧波形は、各々ドライバＩＣの入力波形で制御可能である。
【発明を実施するための最良の形態】
【００２５】
以下に添付図面を参照して、この発明にかかるメモリ性液晶パネルの実施の形態を詳細に説明する。本発明のメモリ性液晶としては、強誘電性液晶、コレステリック液晶などを採用することができる。
【実施例１】
【００２６】
本実施例ではメモリ性液晶パネルに強誘電性液晶を用いた。本実施例では先に説明した図２の電極構成および図４の液晶パネル構成を採用し、印加電圧と液晶パネルの透過率の関係は図３の特性を示した。以下、本発明の液晶パネルの具体的な駆動方法について図１、図２、図６および図７を用いて説明する。
【００２７】
図２に示す強誘電性液晶パネルの１行１列の画素Ｐｉｘ（１，１）を白、２行１列の画素Ｐｉｘ（２，１）を黒に表示する場合を示す。ここで、走査側電圧波形と信号側電圧波形の基準電位ＶＭはゼロとする。
【００２８】
図１には、図２の走査電極ＣＯＭ１、走査電極ＣＯＭ２に印加される走査側電圧波形をＴＰ１、ＴＰ２として示し、また、図２の信号電極ＳＥＧ１に印加される信号側電圧波形をＳＧ１として示した。走査側電圧波形ＴＰ１と信号側電圧波形ＳＧ１の合成である合成電圧波形がＴＳ（１，１）であり、画素Ｐｉｘ（１，１）に印加される電圧波形である。同様に、走査側電圧波形ＴＰ２と信号側電圧波形ＳＧ１の合成である合成電圧波形がＴＳ（２，１）となり、画素Ｐｉｘ（２，１）に印加される電圧波形である。合成電圧波形ＴＳ（１，１）および合成電圧波形ＴＳ（２，１）が印加された時の画素Ｐｉｘ（１，１）および画素Ｐｉｘ（２，１）の透過率は、それぞれＴＶ（１，１）およびＴＶ（２，１）で示されている。
【００２９】
図６は図１の走査側電圧波形ＴＰ１を拡大して示した図である。また図７は図１の信号側電極波形ＳＧ１を拡大して示した図である。以下、図１、図６および図７を用いて説明す
る。全ての走査電極に電圧が印加される時間を１フレームとし、１フレーム内には、強誘電性液晶を２つの安定状態のうち、一方の安定状態とするリセット期間ＲＳを設ける。このリセット期間ＲＳを２つの期間に分け、前半部を第１の期間（Ｒ１）とし、この第１の期間（Ｒ１）において、全ての走査電極には、走査側電圧波形ＴＰ１に示すように電圧＋ＶＳの第１のリセットパルスを印加している。また、リセット期間ＲＳの後半部を第２の期間（Ｒ２）とし、この第２の期間（Ｒ２）においては、全ての走査電極に電圧ゼロを印加する。
【００３０】
また、リセット期間ＲＳの第１の期間（Ｒ１）において、全ての信号電極には、信号側電圧波形ＳＧ１に示すように、電圧ゼロを印加し、リセット期間の第２の期間（Ｒ２）においては、全ての信号電極に電圧＋ＶＳの第２のリセットパルスを印加する。このように、第１のリセットパルスと第２のリセットパルスはパルス幅、パルス電圧値とも等しく設定されている。
【００３１】
よって、リセット期間（ＲＳ）における、画素Ｐｉｘ（１，１）と画素Ｐｉｘ（２，１）に印加される合成波形波形はＴＳ（１，１）、ＴＳ（２，１）のようになる。リセット期間（ＲＳ）の第１の期間（Ｒ１）では、全ての画素に印加される電圧値は第１のリセットパルスの＋ＶＳとなり、図３の閾値電圧Ｖ２を超えて、透過率は透過率ＴＶ（１，１）および透過率ＴＶ（２，１）に示すように、一旦は透過率が上昇して白表示となる。しかし、リセット期間（ＲＳ）の第２の期間（Ｒ２）で、第２のリセットパルスの電圧値−ＶＳが全ての画素に印加されるため、強誘電性液晶は図３の閾値電圧Ｖ４を超え、第２の強誘電状態、すなわち黒表示がすぐに実行される。
【００３２】
リセット期間の次には、強誘電性液晶を２つの安定状態のうち、どちらかの安定状態に選択するための選択期間を設けている。走査側電極波形ＴＰ１の選択期間をＳＥ１と示し、走査側電圧波形ＴＰ２の選択期間をＳＥ２とした。選択期間においても２つの期間に分け、前半部を第１の期間（Ｓ１）とし、後半部を第２の期間（Ｓ２）とした。
【００３３】
画素Ｐｉｘ（１，１）を白に表示するために、選択期間ＳＥ１の第１の期間（Ｓ１）において、走査側電圧波形ＴＰ１では電圧ゼロの第１の選択パルスを印加し、選択期間ＳＥ１の第２の期間（Ｓ２）においては、電圧値＋ＶＳの第２の選択パルスが印加される。この第２の選択パルスは、リセット期間（ＲＳ）で印加された第１のリセットパルスまたは第２のリセットパルスと同極性で、かつ閾値以上の値である。また信号側電圧波形ＳＧ１では、選択期間ＳＥ１の第１の期間（Ｓ１）において、電圧値＋ＶＳの第１の信号パルスが印加され、第２の期間（Ｓ２）では、電圧値ゼロの第２の信号パルスが印加される。これにより画素Ｐｉｘ（１，１）に印加される合成電圧波形はＴＳ（１，１）となり、選択期間ＳＥ１の第１の期間（Ｓ１）において、電圧値−ＶＳが印加され、強誘電性液晶は図３の閾値電圧Ｖ４を超え、一旦は第２の強誘電状態、すなわち黒表示となるが、すぐに第２の期間（Ｓ２）において、電圧値＋ＶＳが印加され、図３の閾値電圧Ｖ２を超え、強誘電性液晶は第１の強誘電状態すなわち白表示を実行する。よって、第１の強誘電状態を実行したときには、第２の選択パルスと第１の信号パルスの電圧値はＶＳとなり、等しく設定されている。
【００３４】
選択期間の次には、強誘電性液晶の状態を維持するための保持期間を設けている。図１および図６では各走査側電極波形で示した保持期間の長さが大きく異なって図示されているが、実際ではリセット期間（ＲＳ）および選択期間に比べて保持期間を充分長く設定しているため、リセット期間（ＲＳ）の表示は認識されず、保持期間で維持された透過率が、画素の表示として認識され、それぞれの走査電極においても、ほぼ同時間の表示が行われることになる。
【００３５】
走査側電極波形ＴＰ１における保持期間（ＨＯＬ１）では、２値の保持パルスが印加されている。２値の保持パルスのうち１つは、第２の選択パルスの電圧値ＶＳにおける（２／３）の電圧値を持ち、もう１つの電圧値は第２の選択パルスの電圧値ＶＳにおける（１／３）の電圧値である。
【００３６】
よって、合成電圧波形ＴＳ（１，１）に示すように、保持期間（ＨＯＬ１）で画素Ｐｉｘ（１，１）に印加されるパルス電圧値は、＋（１／３）ＶＳあるいは−（１／３）ＶＳとなり、図３の閾値Ｖ３を超えず、第１の強誘電状態すなわち白表示を維持することになる。
【００３７】
画素Ｐｉｘ（２，１）を黒に表示するためには、選択期間ＳＥ２の前半部に設定された第１の期間において、走査側電圧波形ＴＰ２では電圧ゼロの第１の選択パルスを印加し、選択期間ＳＥ２の後半部に設定された第２の期間では、電圧値＋ＶＳの第２の選択パルスを印加した。つまり走査側電圧波形ＴＰ１の選択期間ＳＥ１と同様の電圧波形が印加されている。よって、選択期間ＳＥ２においても、第２の選択パルスは、リセット期間（ＲＳ）で印加された第１のリセットパルスまたは第２のリセットパルスと同極性で、かつ閾値以上の値である。また信号側電圧波形ＳＧ１では、選択期間ＳＥ２の第１の期間（Ｓ１）において、電圧値＋（１／３）ＶＳの第１の信号パルスが印加され、第２の期間（Ｓ２）では、電圧値＋（２／３）ＶＳの第２の信号パルスが印加される。これにより画素Ｐｉｘ（２，１）に印加される合成電圧波形はＴＳ（２，１）となり、選択期間ＳＥ２の第１の期間（Ｓ１）において、電圧値−（１／３）ＶＳが印加され、続く第２の期間（Ｓ２）では、電圧値＋（１／３）ＶＳが画素Ｐｉｘ（２，１）に印加されることとなるが、選択期間ＳＥ２では、図３の閾値Ｖ１を超えず、第２の強誘電状態すなわち黒表示を維持する。よって、第２の強誘電状態を実行したときには、第２の選択パルスをＶＳとすると、第１の信号パルスは（１／３）ＶＳとなり、第２の信号パルスは（２／３）ＶＳと設定されている。
【００３８】
走査側電極波形ＴＰ２における保持期間ＨＯＬ２では、２値の保持パルスが印加されている。２値の保持パルスのうち１つは、第２の選択パルスの電圧値ＶＳにおける（２／３）の電圧値を持ち、もう１つの電圧値は第２の選択パルスの電圧値ＶＳにおける（１／３）の電圧値である。
【００３９】
よって、合成電圧波形ＴＳ（２，１）に示すように、保持期間（ＨＯＬ２）で画素Ｐｉｘ（２，１）に印加されるパルス電圧値は、＋（１／３）ＶＳあるいは−（１／３）ＶＳとなり、図３の閾値Ｖ１を超えず、第２の強誘電状態すなわち黒表示を維持することになる。
【００４０】
このような駆動波形を実行することによって、合成電圧波形に注目すると、１フレーム内で、正極性と負極正の値が等しくなり、良好な交流化駆動を実行することができる。特に本発明では、走査電極および信号電極に単一極性で構成される電圧波形を用いていながらも、リセット期間内、選択期間内、保持期間内のそれぞれで交流化が実行されている。なお、本実施例は走査電極および信号電極に対して、正側電圧による駆動方法を記述しているが、０Ｖを対称にした負側電圧による駆動方法も容易に実現できる。
【００４１】
また、回路での貫通電流削減や、液晶表示でのクロストーク低減のために各電圧印加の切り替わり時に０Ｖを挿入した駆動方法でもよい。
【００４２】
なお、透過率波形ＴＶ（１，１）やＴＶ（２，１）は上述した波形を強誘電性液晶パネルに印加したときの光学特性をフォトディテクタ等で検出したときのものである。
【００４３】
このように、リセット期間における信号電極からのパルス電圧と選択期間における走査電極からのパルス電圧との組み合わせによって任意の画素に任意の色（白あるいは黒）を表示することが可能になり、同時に交流化駆動を行うことができる。そのため、各電極の電圧印加に液晶駆動用ドライバＩＣを用いる場合、正電圧（あるいは負電圧）の一方の極性電圧で各ドライバＩＣを動作できる。したがって、各ドライバＩＣの耐圧は低く抑えることができ、さらにＩＣのチップサイズを小さくすることができる。また、走査電極駆動ＩＣと信号電極駆動ＩＣの構成も同一にでき、効率化を図ることができる。さらに、パルス用電圧は全て同極性であるので、各電圧を発生する昇圧回路も容易に作製でき、システム全体の消費電力も低減することができる。
【００４４】
また、リセット期間、選択期間、保持期間の全ての期間において、強誘電性液晶に印加する電圧は正側と負側とで時間平均が等しくできるので、直流電圧印加による液晶の劣化も生じない。
【産業上の利用可能性】
【００４５】
以上のように、本発明にかかるメモリ性液晶パネルは、携帯情報端末の表示媒体に有用であり、特に電子ブックや電子辞書など電池で駆動したときにも長時間使い続ける必要がある端末に適している。また、画面書き換えが行われていないので、画面ちらつきのない良好な表示が実現できる。
【図面の簡単な説明】
【００４６】
【図１】本発明のメモリ性液晶における駆動波形と光学応答と関係を示す特性図である。
【図２】液晶パネルをマトリクス型の画素（例えば４×４）に形成したときの電極配置を示した平面図である。
【図３】強誘電性液晶における印加電圧と透過率との関係を示す特性図である。
【図４】本発明の液晶表示パネルの構成を示す断面図である。
【図５】従来のメモリ性液晶における駆動波形と光学応答と関係を示す特性図である。
【図６】走査側電極波形を示した図である。
【図７】信号側電圧波形を示した図である。
【符号の説明】
【００４７】
ＴＰ１  １行目の走査電極における走査側電圧波形
ＴＰ２  ２行目の走査電極における走査側電圧波形
ＳＧ１  １列目の信号電極における信号側電圧波形
ＴＳ（１，１）  １行１列の画素に印加する合成電圧波形
ＴＳ（２，１）  ２行１列の画素に印加する合成電圧波形
ＴＶ（１，１）  １行１列の画素の透過率特性波形
ＴＶ（２，１）  ２行１列の画素に透過率特性波形
４０  液晶パネル
４１ａ、４１ｂ  偏光板
４２  液晶層
４３ａ、４３ｂ  ガラス基板
４４ａ、４４ｂ  透明電極
４５ａ、４５ｂ  配向膜
４６  反射板
４７  シール剤
【図１】
2006171497.tif 000003
【図２】
2006171497.tif 000004
【図３】
2006171497.tif 000005
【図４】
2006171497.tif 000006
【図５】
2006171497.tif 000007
【図６】
2006171497.tif 000008
【図７】
2006171497.tif 000009